(57)【要約】【課題】使用者が情報端末をかざすことで電気機器の表示部２が腕で見えにくくなることを防止する。【解決手段】動作設定や運転状況を表示する表示部２と、近距離圏内に存在する情報端末２０と近距離無線通信を行うための第１ループアンテナ４ａ及び第２ループアンテナ４ｂと、第１ループアンテナ４ａ及び第２ループアンテナ４ｂにより受信した受信信号を復調するとともに送信する情報を送信信号に変調する無線通信部１０とを備える電気機器であって、第１ループアンテナ４ａ及び第２ループアンテナ４ｂが表示部２の正面に対して左右に配置する。【選択図】図１
2014116664.tif 000002
【特許請求の範囲】
【請求項１】
動作設定や運転状況を表示する表示部と、
近距離圏内に存在する情報端末と近距離無線通信を行うための第１ループアンテナ及び第２ループアンテナと、
前記第１ループアンテナ及び第２ループアンテナにより受信した受信信号を復調するとともに送信する情報を送信信号に変調する無線通信部とを備える電気機器であって、
前記第１ループアンテナ及び第２ループアンテナが前記表示部の正面に対して左右に配置するようにした電気機器。
【請求項２】
前記無線通信部が前記第１ループアンテナまたは前記第２ループアンテナのどちらと接続するかの切り替えを行う切替部を備える請求項１記載の電気機器。
【請求項３】
前記第１ループアンテナまたは第２ループアンテナが信号を受信した時に、当該信号の復調情報を基にして前記表示部の表示内容を切り替える請求項１または２に記載の電気機器。
【請求項４】
前記第１ループアンテナ及び第２ループアンテナが直列に接続され一体化している請求項１に記載の電気機器。
【請求項５】
前記第１ループアンテナ及び第２ループアンテナが、１つの基板上に形成される請求項１から４のいずれか１項に記載の電気機器。
【請求項６】
前記情報端末が前記第１ループアンテナにかざされているか否かを第１検知部と、
前記情報端末から前記第２ループアンテナにかざされているか否かを検知する第２検知部と、
前記表示部の周辺に配置され、使用者からの入力情報を検知する複数の入力部と、
前記入力部への入力を認識するか無視するかを判断する入力認識部と、
前記複数の入力部と前記第１ループアンテナ及び第２ループアンテナとの位置関係を管理する配置情報管理部とを備え、
前記入力認識部が、
前記情報端末が前記第１ループアンテナにかざされている間は、
前記第１ループアンテナの付近に配置される前記入力部への入力を無視し、
前記情報端末が前記第２ループアンテナにかざされている間は、
前記第２ループアンテナの付近に配置される前記入力部への入力を無視する請求項１から５のいずれか１項に記載の電気機器。
【発明の詳細な説明】
【技術分野】
【０００１】
本発明は、使用者が情報端末をかざしそのタイミングで、情報端末と近距離無線通信を行うことができる電気機器に関連するものである。
【背景技術】
【０００２】
従来、この種の電気機器は、スマートフォンなどの情報端末を使って電気機器にかざすように近づける（近接無線通信）ことにより家電の情報をサーバに送る構成とし、安価で簡単なインターネットサービスが実現できる（例えば、特許文献１参照）。
【０００３】
図１２は、前記公報に記載された従来の電気機器の斜視図を示すものである。電気機器である洗濯機１の筐体には、動作設定や運転状況を表示する表示部２と、電源ＯＮや電源ＯＦＦ、洗濯スタートを使用者が入力するための入力部３が構成されていて、表示部２の片側（図では表示部の正面に対して左側）に情報端末をかざすループアンテナ４が筐体内部取り付けられ、内部にループアンテナがあることを示すためにマーク（ここでは十字）がついている。
【先行技術文献】
【特許文献】
【０００４】
【特許文献１】国際公開第２０１１／０６５０２８号
【発明の概要】
【発明が解決しようとする課題】
【０００５】
しかしながら、前記従来の構成では、右利きの使用者が洗濯機１に利き手で情報端末を近づけた場合、かざしている間は使用者の腕が表示部２を遮る形になり、使用者にとってはその間、表示部２の表示内容が見にくい状態になってしまう。
【０００６】
イメージとしては図１３である。図１３は、洗濯機１の表示部２周辺の拡大図で、使用者が情報端末をかざした場合を想定した図である。図１３において、表示部２には、動作設定であるコースや洗い時間、すすぎ回数、脱水回数などが表示されており、右利きの使用者５が利き手に情報端末２０をもって、ループアンテナ４に近づけると利き腕５ａが使用者５と表示部２の間に入ることになる。
【０００７】
本発明は、前記従来の課題を解決するもので、使用者が情報端末をかざすことによって表示部２が見えにくくなることを防止することができる電気機器を提供することを目的とする。
【課題を解決するための手段】
【０００８】
前記従来の課題を解決するために、本発明の電気機器は、動作設定や運転状況を表示する表示部と、近距離圏内に存在する情報端末と近距離無線通信を行うための第１ループアンテナ及び第２ループアンテナと、前記第１ループアンテナ及び第２ループアンテナにより受信した受信信号を復調するとともに送信する情報を送信信号に変調する無線通信部とを備える電気機器であって、前記第１ループアンテナ及び第２ループアンテナが前記表示部の正面に対して左右に配置するようにしたものである。
【０００９】
これによって、右利きの使用者は、前記表示部の表面に対して右側のループアンテナに情報端末を近づけ、左利きの使用者は、前記表示部の表面に対して左側のループアンテナに情報端末を近づけるようにすることができ、使用者が前記表示部を見えにくくすること
なく前記情報端末を電気機器に近づけることが可能となる。
【発明の効果】
【００１０】
本発明の電気機器は、使用者が情報端末を電気機器にかざす時に電気機器本体の表示部を遮って表示内容が見えにくくなることを防止することである。
【図面の簡単な説明】
【００１１】
【図１】実施の形態１における洗濯機の斜視図
【図２】実施の形態１における洗濯機の表示部付近の詳細図
【図３】実施の形態１における洗濯機の筐体内に組み込まれているループアンテナの形状を示す図
【図４】実施の形態１における洗濯機の機能ブロック図
【図５】実施の形態１における洗濯機に使用者が情報端末をかざしたときの図
【図６】実施の形態１における情報端末に表示する通信指示画面を示す図
【図７】実施の形態１における情報端末に表示する設定完了画面を示す図
【図８】実施の形態１における情報端末から運転内容を設定される前の表示部画面を示す図
【図９】実施の形態１における情報端末から運転内容を設定された後の表示部画面を示す図
【図１０】実施の形態１における洗濯機の動作を示すフローチャート
【図１１】実施の形態２における洗濯機の機能ブロック図
【図１２】従来の洗濯機の斜視図
【図１３】従来の洗濯機の表示部周辺の拡大図
【発明を実施するための形態】
【００１２】
第１の発明は、動作設定や運転状況を表示する表示部と、近距離圏内に存在する情報端末と近距離無線通信を行うための第１ループアンテナ及び第２ループアンテナと、前記第１ループアンテナ及び第２ループアンテナにより受信した受信信号を復調するとともに送信する情報を送信信号に変調する無線通信部とを備える電気機器であって、前記第１ループアンテナ及び第２ループアンテナが前記表示部の正面に対して左右に配置するようにした電気機器とすることによって次のような効果がある。
【００１３】
それは、右利きの使用者は、前記表示部の表面に対して右側のループアンテナに情報端末を近づけ、左利きの使用者は、前記表示部の表面に対して左側のループアンテナに情報端末を近づけるようにすることができ、使用者が前記表示部を見えにくくすることなく前記情報端末を電気機器に近づけることが可能となる。
【００１４】
第２の発明は、特に、第１の発明の電気機器に、前記無線通信部が前記第１ループアンテナまたは前記第２ループアンテナのどちらと接続するかの切り替えを行う切替部を備えるとしたものであり、次のような効果がある。
【００１５】
それは、前記切替部によって、常に一つのアンテナと前記無線通信部とが接続されるため、使用者がかざした方のアンテナだけと前記無線通信部とが接続されるようにすることができる。
【００１６】
第３の発明は、特に、第１の発明または第２の発明の電気機器が、前記第１ループアンテナまたは第２ループアンテナが信号を受信した時に、当該信号の復調情報を基にして前記表示手段の表示内容を切り替えるとしたものであり、次のような効果がある。
【００１７】
それは、前記情報端末から前記電気機器へ動作設定等の情報を送信する際、使用者の腕
で前記表示部を遮ることなく、受け手側に情報が正しく送信されたかどうかを前記表示部に表示させることができる。
【００１８】
前記情報端末でも結果を表示してもよいが、電気機器の設定を行っているので、使用者は電気機器を見ている可能性が高く、受け手側の前記電気機器にも結果を表示させた方が親切である。
【００１９】
第４の発明は、特に、第１の発明の電気機器の前記第１ループアンテナ及び第２ループアンテナが直列に接続され一体化しているものである。このことによって、前記切替部が不要になる。
【００２０】
第５の発明は、特に、第１から４のいずれか１つの発明の電気機器の前記第１ループアンテナ及び第２ループアンテナが、１つの基板上に形成されるとしたものである。このことによって、電気機器を工場で生産する際、１つの部品として扱うことが出来るので組み立てを簡単にすることともに、部品管理も簡単にすることが出来る。
【００２１】
第６の発明は、特に、第１から５のいずれか１つの発明の電気機器において、前記情報端末が前記第１ループアンテナにかざされているか否かを第１検知部と、前記情報端末から前記第２ループアンテナにかざされているか否かを検知する第２検知部と、前記表示手段の周辺に配置され、使用者からの入力情報を検知する複数の入力部と、前記入力手段への入力を認識するか無視するかを判断する入力認識部と、前記複数の入力部と前記第１ループアンテナ及び第２ループアンテナとの位置関係を管理する配置情報管理部とを備え、前記入力認識部が、前記情報端末が前記第１ループアンテナにかざされている間は、前記第１ループアンテナの付近に配置される前記入力部への入力を無視し、前記情報端末が前記第２ループアンテナにかざされている間は、前記第２ループアンテナの付近に配置される前記入力部への入力を無視するとしたものであり、次のような効果がある。
【００２２】
それは、情報端末を前記第１ループアンテナ及び第２ループアンテナのどちらかにかざす時、多くの場合、前記情報端末を前記第１ループアンテナ及び第２ループアンテナにかなり近づけることになる。一方で電気機器の表示部付近には、キースイッチなどの入力部が配置されることがある。その為、前記情報端末本体や前記情報端末を持っている手で誤って入力部へ入力を行ってしまう場合を防止することが出来る。
【００２３】
以下、本発明の実施の形態について、図面を参照しながら説明する。なお、本実施の形態によって本発明が限定されるものではない。
【００２４】
（実施の形態１）
本実施の形態における電気機器はドラム式洗濯乾燥機（以後、洗濯機と省略して記載）であり、図１は、洗濯機の斜視図である。図１に示すように洗濯機１の筐体には、動作設定や運転状況を表示する表示部２と、電源ＯＮや電源ＯＦＦ、洗濯スタートを使用者が入力するため等の複数の入力部３（３ａ〜３ｊ）が構成されていて、表示部２の両側に情報端末をかざす第１ループアンテナ４ａ、第２ループアンテナ４ｂが筐体内部取り付けられ、内部にアンテナがあることを示すためにマーク（ここでは十字）がついている。
【００２５】
本実施の形態において、表示部２の周辺に入力部３（３ａ〜３ｊ）が複数有り、その詳細を図２で説明する。図２は、本実施の形態における洗濯機１の表示部２付近を拡大した図である。図２において、表示部２の右側には、電源を入れるときに押下する入スイッチ３ａ、電源を切るときに押下する切スイッチ３ｂ、洗濯運転をスタートさせるときや運転時に一時停止させるときに押下するスタートスイッチ３ｃが配置されている。表示部２の下側には、洗濯運転コース（通常の衣類を洗濯するのに適したおまかせ、毛布を洗濯する
のに適した毛布コースなど）を変更するときに押下するコーススイッチ３ｄ、洗濯運転のうち洗い時間を変更するときに押下する洗いスイッチ３ｅ、すすぎ回数を変更するときに押下するときに押下するすすぎスイッチ３ｆ、脱水時間を変更するときに押下する脱水スイッチ３ｇ、乾燥時間を変更するときに押下する乾燥スイッチ３ｈが配置されている。表示部２の左側には、風呂水を使用するときに押下する風呂水スイッチ３ｉ、洗濯するときの水位を使用者が手動変更するときに押下する水位スイッチ３ｊが配置されている。
【００２６】
このように、洗濯機１において、表示部２とスイッチである入力部３とはユーザーインターフェースユニットとして１つの制御基板にまとめ操作しながら表示部２の表示内容を確認できるようにすることが多い。
【００２７】
図３は、洗濯機１の筐体内に組み込まれている第１ループアンテナ４ａ、４ｂの形状を示す図である。表示部２の正面に対して左側にある第１ループアンテナ４ａを第１ループアンテナとし、右側になる第２ループアンテナ４ｂを第２ループアンテナとする。そして、その第１ループアンテナと第２ループアンテナとは直列に接続されて、その２つは同じ基板上に構成されるものとする。加えて、表示部２、入力部３も同じ基板上に構成されていれば、１つの部品（制御基板）として扱えるようになるので、組み立てを簡単にすることが出来るというメリットがある。また、この直列に接続された第１ループアンテナと第２ループアンテナのＡ’、Ａ”から通信データを変復調する回路に接続される。
【００２８】
なお、第１ループアンテナと第２ループアンテナが表示部２近くに配置される理由は、人が情報端末をループアンテナにかざすときにかざしやすい位置にあるということと、情報端末をかざすことによって表示部２の表示内容を変更するようになるので、その場合かざしながら表示部２の表示内容を確認できるからである。
【００２９】
図４は、本実施の形態における洗濯機の機能ブロック図である。
【００３０】
本実施の形態における洗濯機１は、表示部２、入力部３、第１ループアンテナ４ａ、第２ループアンテナ４ｂ、無線通信部１０，第１検知部１１ａ、第２検知部１１ｂ、検知用第１ループアンテナ１２ａ、検知用第２ループアンテナ１２ｂ、配置情報記憶部１３、制御部１４とで構成されている。
【００３１】
無線通信部１０は、第１ループアンテナ４ａ及び第２ループアンテナ４ｂにより受信した受信信号を復調するとともに、各ループアンテナから無線出力ために制御部１４が管理する情報を変調するものである。
【００３２】
検知用第１ループアンテナ１２ａとは、第１ループアンテナ４ａに上下関係にあるなどで近接するように配置される。そして、情報端末を第１ループアンテナ４ａにかざしたときに、情報端末から出力される電波によって電磁誘導が起こり、検知用第１ループアンテナ１２ａに起電力が生じる。
【００３３】
第１検知部１１ａとは、この検知用第１ループアンテナ１２ａに生じる起電力を検知して、情報端末が第１ループアンテナ４ａにかざされているか検知するものである。
【００３４】
検知用第２ループアンテナ１２ｂとは、第２ループアンテナ４ｂに上下関係にあるなどで近接するように配置される。そして、情報端末を第２ループアンテナ４ｂにかざしたときに、情報端末から出力される電波によって電磁誘導が起こり、検知用第２ループアンテナ１２ｂに起電力が生じる。
【００３５】
第２検知部１１ｂは、この検知用第２ループアンテナ１２ｂに生じる起電力を検知して
、情報端末が第２ループアンテナ４ｂにかざされているか検知するものである。
【００３６】
配置情報記憶部１３とは、第１ループアンテナ４ａの近くにある入力部は何であるかと第２ループアンテナ４ｂ近くにある入力部は何であるかを記憶している処理部である。本実施の形態でいえば、第１ループアンテナ４ａの近くには、水位スイッチ３ｊ、風呂水スイッチ３ｉ、洗いスイッチ３ｅがあることを記憶している。第２ループアンテナ４ｂの近くには、切スイッチ３ｂ、スタートスイッチ３ｃ、コーススイッチ３ｄがあることを記憶している。
【００３７】
制御部１４とは、各処理部を制御する処理部である。具体的には、次のことを行う。無線通信部１０経由でくる情報端末からの情報を管理する。入力部３への入力を検知する。情報端末との通信結果や入力部３への入力結果を基にして表示部２の表示内容の変更を行うそのほか洗濯機１が洗濯運転を行う為の処理部（モータや給水弁、排水弁）の制御を行うものである。
【００３８】
図５に本実施の形態における洗濯機１に使用者が情報端末をかざしたときの図を示す。人がかざす動作を行う場合、情報端末２０を可能な限り洗濯機１のループアンテナ（第１ループアンテナ４ａ又は第２ループアンテナ４ｂ）に近づける。そうした場合、情報端末２０を持った手のハラ等や情報端末２０自身が洗濯機１の筐体に触れる可能性がある。つまり、かざすことによってループアンテナ付近の入力部を誤って操作する可能性がある。なお、表示部２１は、情報端末２０の表示部である。この表示部２１に後述する各種画面を表示して、使用者に動作を誘導したり、情報を報知したりする。
【００３９】
図６、７に本実施の形態における情報端末２０に表示する画面を示す。なお、本実施の形態では、前提として情報端末２０から洗濯機１に対してある運転内容（コース：毛布コース、洗い時間：１５分、すすぎ回数：注水すすぎ２回、脱水１３分）を近距離無線通信で設定することを想定している。
【００４０】
図６は、本実施の形態における通信指示画面の一例を示す図である。図６に示す通信指示画面Ｇ１では、例えば運転内容を設定するため”対応家電にタッチしてください”というメッセージ６０１が表示される。通信指示画面Ｇ１は、情報端末２０を洗濯機１に近接させるように使用者を誘導する画面である。情報端末２０の表示部２１に通信指示画面Ｇ１が表示されると、使用者は、情報端末２０と洗濯機１とが近接無線通信により通信可能な距離になるように、情報端末２０のループアンテナ（図示せず）と、洗濯機１のループアンテナ（第１ループアンテナ４ａ又は第２ループアンテナ４ｂ）とを近接させる。
【００４１】
図７は、本実施の形態における設定完了画面の一例を示す図である。図７に示す設定完了画面Ｇ２では、例えば近距離無線通信が成功した場合には、”動作設定を行いました”、”スタートボタンを押下ください”というメッセージ６１１、６１２が表示される。そして、メニュー画面に戻るためのＯＫボタン６１３が表示される。
【００４２】
図８、９は、情報端末２０から運転内容を設定される前後での表示部２の表示内容を示す図である。図８において、設定前は、コースが選ばれていないので、コースがデフォルトのおまかせコースである。そして、洗い時間やすすぎ回数なども選択されていないので表示されていない。設定後は、情報端末２０から運転内容が設定されるので、設定された情報が洗濯機１本体に設定されたことがわかるように、制御部１４は、表示部２の表示内容を変更する。図９で示すように、コースが毛布コースと選択されたように変わるとともに、洗い時間、すすぎ回数、脱水時間の表示内容が変わる。このとき、使用者が左利きなら第１ループアンテナ４ａに情報端末２０をかざすようにすれば、使用者の腕で表示部２の表示内容の変化が見にくくなることはない。
【００４３】
図１０に本実施の形態における洗濯機１の動作を示すフローチャートを示す。まず制御部１４は、入力部３が操作されたことを検知すると（Ｓ１０１）、第１検知部１１ａ、第２検知部１１ｂともに情報端末がかざされていると検知していないか確認し（Ｓ１０２）、検知していない場合は、使用者が実際に入力部３のいずれかのスイッチを操作したと判断して操作された入力に対応する入力に対しての処理を行う（Ｓ１０５）。
【００４４】
また、検知している場合には、情報端末２０かざされているのが第１ループアンテナ４ａ、第２ループアンテナ４ｂのどちらであるか特定し（Ｓ１０３）、どのスイッチが入力されたのかの情報とかざされたループアンテナの情報を基に配置情報記憶部１３を参照し、かざされているループアンテナに近接する入力部３への入力であるか否かを判断する（Ｓ１０４）。かざされているループアンテナに近接する入力部３への入力でない場合には、使用者が実際に入力部３のいずれかのスイッチを操作したと判断して操作された入力に対応する入力に対しての処理を行う（Ｓ１０５）。
【００４５】
また、かざされているループアンテナに近接する入力部３への入力である場合は、かざす行為によって、情報端末２０か使用者の手が偶然、入力部３に触れたとして操作された入力に対応する入力に対しての処理を見送る。
【００４６】
以上のように、本実施の形態においては、ループアンテナを表示部２の左右に配置して、例えば、使用者が左利きであれば向かって左側のループアンテナ（第１ループアンテナ４ａ）へ情報端末をかざすようにすることができるので、情報端末をかざしているときに使用者の腕で表示部２を遮ることを防止できる。
【００４７】
そして、第１ループアンテナ４ａ、第２ループアンテナを同一基板上に構成することで、１つの部品として取り扱うことも可能で、別々の部品とした場合より、洗濯機１の製造時の組み立てやすさは容易になる。
【００４８】
そして、かざしている間は、かざしているループアンテナの近辺にある入力部への操作は無効とすることで、かざす行為に伴って誤って入力部に触れて、意図しない動作を洗濯機１がするこということも防止することができる。
【００４９】
（実施の形態２）
本実施の形態において、電気機器は、実施の形態１同様に洗濯機で、図１１は、洗濯機１の機能ブロック図である。実施の形態１と違って第１ループアンテナ４ａと第２ループアンテナ４ｂとが直列に接続されていない。そして、洗濯機１は切替部１５を備えて、第１検知部１１ａまたは、第２検知部１１ｂのどちらかが情報端末２０がかざされたことを検知すると、切替部１５は、かざされた方のループアンテナと無線通信部１０とが接続された状態にする。例えば、第１ループアンテナ４ａに情報端末２０がかざされたのであれば、第１ループアンテナ４ａと無線通信部１０とが接続された状態になる。
【００５０】
そして、第１ループアンテナ４ａが受信している信号を無線通信部１０が復調し、受信した信号に対応する応答信号もかざされた方のループアンテナから出力されるように、本実施の形態でいえば第１検知部１１ａで情報端末２０がかざされていないと検知するまで切替部１５は接続の切替を行わないとするものである。この場合、実施の形態１と違って、検知用第１ループアンテナ１２ａ、検知用第２ループアンテナ１２ｂの役割を第１ループアンテナ４ａ、第２ループアンテナ４ｂとで代用できる。
【産業上の利用可能性】
【００５１】
以上のように、本発明にかかる電気機器は、使用者が情報端末を電気機器にかざす時に
電気機器本体の表示部を遮って表示内容が見えにくくなることを防止することが可能になるので、本実施の形態では電気機器を洗濯機としたが表示部と入力部が近接する電子レンジや炊飯器など他の家電機器にも展開することができる。
【符号の説明】
【００５２】
１  洗濯機
２  表示部
３  入力部
４ａ  第１ループアンテナ
４ｂ  第２ループアンテナ
１０  無線通信部
１１ａ  第１検知部
１１ｂ  第２検知部
１２ａ  検知用第１ループアンテナ
１２ｂ  検知用第２ループアンテナ
１３  配置情報記憶部
１５  切替部
【図１】
2014116664.tif 000003
【図２】
2014116664.tif 000004
【図３】
2014116664.tif 000005
【図４】
2014116664.tif 000006
【図５】
2014116664.tif 000007
【図７】
2014116664.tif 000008
【図８】
2014116664.tif 000009
【図９】
2014116664.tif 000010
【図１０】
2014116664.tif 000011
【図１１】
2014116664.tif 000012
【図１２】
2014116664.tif 000013
【図１３】
2014116664.tif 000014
【図６】
2014116664.tif 000015